(57)【特許請求の範囲】
【請求項１】
一対の両側の製品収容ポケットのためのパッケージハウジングを形成するためのブランク材であって、
前記ブランク材は、第１の端部壁と、前記第１の端部壁に折り目を介して取り付けられた上部部分と、前記上部部分に上部の折り目を介して取り付けられた五角形のフラップを備え、前記五角形のフラップは、前記上部の折り目で上部部分に対して折り畳み可能であり、
前記第１の端部壁は、第１の後壁のメイン表面に折り畳み可能に取り付けられ、
第２の後壁のメイン表面は、前記第１の後壁のメイン表面およびエンドフラップに折り畳み可能に取り付けられ、かつ前記第１の後壁のメイン表面と前記エンドフラップとの間に延び、
第１のサイドフラップは、前記第１の後壁のメイン表面および第１の前表面に折り畳み可能に取り付けられ、かつ前記第１の後壁のメイン表面と前記第１の前表面との間に延び、
第３のサイドフラップは、前記第１の前表面およびサイドタブに折り畳み可能に接続され、かつ前記第１の前表面とサイドタブとの間に延び、
第２のサイドフラップは、前記第２の後壁のメイン表面および第２の前表面に折り畳み可能に接続され、かつ前記第２の後壁のメイン表面と前記第２の前表面との間に延び、
第４のサイドフラップは、前記第２の前表面および第４のサイドタブに折り畳み可能に接続され、かつ前記第２の前表面と第４のサイドタブとの間に延び、
前記第２の前表面は、前記パッケージハウジングにいったん組み立てられると、前記フラップの端部と係合するように、前記第２の前表面を介したスロットを備える、ブランク材。
【請求項２】
前記第１のメイン表面および前記第２のメイン表面は、それらの間に延びる折り目において折り畳み可能に接続されている、請求項１に記載のブランク材。
【請求項３】
有孔の折り目は、前記第１の前表面と前記第２の前表面との間に部分的に延びている、請求項２に記載のブランク材。
【請求項４】
前記第１の前表面は、前記第１の前表面を介した半円の開口部を有する、請求項３に記載のブランク材。
【請求項５】
前記第２の前表面は、前記第２の前表面を介した半円の開口部を有する、請求項４に記載のブランク材。
【請求項６】
前記第１の前表面および前記第２の前表面の前記半円の開口部は互いに連通している、請求項５に記載のブランク材。
【請求項７】
前記第１の後壁のメイン表面は、前記パッケージハウジングがいったん組み立てられると、前記フラップの端部と係合するように、前記第１の後壁のメイン表面を介した後部スロットを有する、請求項１に記載のブランク材。
【請求項８】
前記後部スロットは湾曲している、請求項７に記載のブランク材。
【請求項９】
前記スロットは湾曲している、請求項１に記載のブランク材。
【請求項１０】
前記パッケージハウジングはＬ形状を有する、請求項１に記載のブランク材。
【請求項１１】
向かい合う構成において製品を保存するための一対のポケットを含むパッケージハウジングを形成する方法であって、
シートからブランク材を切る工程であって、
前記ブランク材は、一対の両側の製品収容ポケットのためのパッケージハウジングを備え、
前記ハウジングは、第１の端部壁と、前記第１の端部壁に折り目を介して取り付けられた上部部分と、前記上部部分に上部の折り目を介して取り付けられた五角形のフラップを備え、前記五角形のフラップは、前記上部の折り目で上部部分に対して折り畳み可能であり、
前記第１の端部壁は、第１の後壁のメイン表面に折り畳み可能に取り付けられ、
第２の後壁のメイン表面は、前記第１の後壁のメイン表面とエンドフラップとの間に延び、
第１のサイドフラップは、前記第１の後壁のメイン表面と第１の前表面との間に延び、
第３のサイドフラップは、前記第１の前表面と前記サイドタブとの間に延び、
第２のサイドフラップは、前記第２の後壁のメイン表面と第２の前表面との間に延び、
第４のサイドフラップは、前記第２の前表面と第４のサイドタブとの間に延び、
前記第２の前表面は、前記パッケージハウジングにいったん組み立てられると、前記フラップの端部と係合するように、前記第２の前表面を介したスロットを備える、工程と、
後ろの折り目に沿って、前記第１の後壁のメイン表面および前記第２の後壁のメイン表面を折る工程であって、前記第１の後壁のメイン表面および前記第２の後壁のメイン表面は前記第１のサイドフラップおよび前記第２のサイドフラップに直交する、工程と、
前記第１のサイドフラップおよび前記第２のサイドフラップをサイドの折り目に沿って折る工程であって、前記第１のサイドフラップおよび前記第２のサイドフラップは、前記第１の前表面および前記第２の前表面に直交し、前記第１の前表面および前記第２の前表面は、前記第１の後壁のメイン表面および前記第２の後壁のメイン表面から間隔を置いて、平行し、かつ並んでいる、工程と、
前記第３のサイドフラップおよび前記第４のサイドフラップを第３の折り目に沿って折る工程であって、前記第３のサイドフラップおよび前記第４のサイドフラップは前記第１の前表面および前記第２の前表面に直交しており、前記第３のサイドフラップおよび前記第４のサイドフラップは、前記第１のサイドフラップおよび前記第２のサイドフラップから間隔を置いて、平行し、かつ並んでいる、工程と、
前記サイドタブおよび前記第４のサイドタブをサイドタブ折り目に沿って折る工程であって、前記サイドタブおよび前記第４のサイドタブは前記第１の後壁のメイン表面および前記第２の後壁のメイン表面と平行している、工程と、
開口端部を有する第１のポケットを形成するために、前記サイドタブを前記第１の後壁のメイン表面に接着する工程と、
開口端部を有する第２のポケットを形成するために、前記サイドタブを前記第１の後壁のメイン表面に接着する工程と、
エンドフラップの線に沿って前記エンドフラップを折る工程であって、前記エンドフラップは前記第２の後壁のメイン表面に直交し、前記エンドフラップは、前記第２のポケットの前記開口端部を閉めるために、前記第２の後壁のメイン表面と前記第２の前壁のメイン表面との間に延びる、工程と、
第１の端部壁の折り目に沿って側壁を折る工程であって、前記第１の端部壁は、前記第１の後壁のメイン表面に直交し、前記第１の端部壁は、前記第１のポケットの前記開口端部を閉めるために、前記第１の後壁のメイン表面と前記第２の前壁のメイン表面との間に延びる、工程と、
前記折り目に沿って前記上部部分を折る工程であって、前記上部部分を前記第１の前表面に平行し、かつ前記第１の前表面接触するように折り目に沿って折る工程と、前記第１の前表面に対して前記上部部分を固定する工程と、
前記上部の折り目に沿って前記フラップを折る工程であって、前記フラップは前記第１の端部壁に直交し、前記フラップは前記第１の後壁のメイン表面に平行する、工程と、
前記フラップを、前記第２の前表面の前記スロットに固定する工程と、
を含む、方法。
【請求項１２】
前記一対のポケットを分離した場合に、前記フラップと摺動可能に係合するために、前記第１の後壁のメイン表面においてスロットを切る工程をさらに含む、請求項１１に記載の方法。
【請求項１３】
前記第１のサイドフラップと前記第２のサイドフラップとの間に、前記第１の前表面と前記第２の前表面との間に、ならびに、前記第３のサイドフラップと前記第４のサイドフラップとの間に、ミシン目の線を切る工程をさらに含む、請求項１１に記載の方法。
【請求項１４】
前記第１の前表面および前記第２の前表面を介した開口部を切ることをさらに含む、請求項１３に記載の方法。
【請求項１５】
前記ミシン目の線に沿って前記パッケージハウジングを分断する場合に、前記一対のポケットの分離を可能にするために、前記第１の後壁のメイン表面と前記第２の後壁のメイン表面との間で、ミシン目の線を切断することを継続する工程をさらに含む、請求項１４に記載の方法。
【請求項１６】
パッケージアセンブリであって、
一対の製品収容ポケットを有するパッケージハウジングを備え、
前記ポケットは、前記製品を前記ポケットから分配することができるように、平坦で閉じた状態と折り畳まれて開いた状態との間で折り畳み可能な動作のために折り目の両側に配置されており、
前記ハウジングはさらに、前記ポケットを閉じるために、前記平坦な状態において、前記ポケット上に配置された、開くことのできるフラップを備え、前記フラップは、前記ポケットの１つから延び、前記ポケットのもう１つは、前記閉じた状態において、前記フラップの遠位端を受け取るためのスロットを備え、
前記フラップは、前記ポケットの表面に固定された上部部分に上部の折り目を介して取り付けられており、
前記フラップは、前記上部の折り目において、前記ポケットの１つに折り畳み可能であるパッケージアセンブリ。
【請求項１７】
前記ポケットの各々は、前記ポケットから前記製品を分配するための開口端部を備え、前記開口端部は、前記折り目の両側で向かい合うように配置される、請求項１６に記載のパッケージアセンブリ。
【請求項１８】
前記開口端部は半円である、請求項１７に記載のパッケージアセンブリ。
【請求項１９】
前記ポケットは前記折り目において分断可能である、請求項１６に記載のパッケージアセンブリ。
【請求項２０】
前記ポケットの各対は、閉じた状態において、および、前記ポケットの対が分断された後の前記ポケットの１つの閉じた状態において、前記フラップの遠位端を受け取るためのスロットを備える、請求項１９に記載のパッケージアセンブリ。
【発明の詳細な説明】
【技術分野】
【０００１】
（関連出願の参照）
本出願は、２００９年１１月１０日に出願の米国仮特許出願第６１／２８０，９０６号の優先権を主張し、その内容はその全体において参照することにより本明細書において援用される。
【０００２】
本発明は一般に、複数の消費可能な製品を収容および分配するためのパッケージアセンブリに関する。より詳細には、本発明は、ポケットの各々の中に収容された製品に対するアクセスを可能にする、一対の折り畳み可能な製品収容ポケットを有するパッケージアセンブリに関連する。
【背景技術】
【０００３】
所定の消費可能な製品、例えばチューインガムのスラブなどはパッケージ内に収容されてよく、ここでそのガムスラブはそこから個々のスラブを容易に分配することを可能にするように配置されている。ハウジング内に収容されたガムスラブに対するアクセスを可能にするのに加え、ハウジングは再度密閉可能であり、その結果、パッケージは繰り返し開かれかつ閉じられることができ、残りのガムスラブを便利に分配することを可能にする。パッケージが再度開かれるたびに、パッケージは、取り除きが容易な位置において残りのガムスラブを提示すべきである。さらには、製品が全て分配されるまで、消費者はパッケージを持ち運ぶゆえ、パッケージはコンパクトかつ持ち運びに便利であるべきである。
【発明の概要】
【発明が解決しようとする課題】
【０００４】
それゆえ、開くことができ、かつ再度閉じることができ、ならびに、個々の製品のコンパクトで容易な分配を可能にする製品パッケージアセンブリを提供することが所望される。
【課題を解決するための手段】
【０００５】
パッケージアセンブリは、一対の製品収容ポケットを有するパッケージハウジングを備える。前記ポケットは、前記製品を前記ポケットから分配することができるように、平坦で閉じた状態と折り畳まれて開いた状態との間で折り畳み可能な動作のために折り目の両側に配置されている。前記ハウジングはさらに、前記ポケットを閉じるために、前記平坦な状態において、前記ポケット上に配置された、開くことのできるフラップを備える。前記開くことのできるフラップは、前記ポケットの１つから延び、前記ポケットのもう１つは、前記閉じた状態において、前記フラップの遠位端を受け取るためのスロットを備える。
【０００６】
別の実施形態において、一対の両側の製品収容ポケットのためのパッケージハウジングを形成するためのブランク材を提供する。前記ブランク材は第１の端部壁に折り畳み可能に取り付けられた五角形のフラップを備え、前記第１の端部壁は、第１の後壁のメイン表面に折り畳み可能に取り付けられる。第２の後壁のメイン表面は、前記第１の後壁のメイン表面およびエンドフラップに折り畳み可能に取り付けられ、かつ前記第１の後壁のメイン表面と前記エンドフラップとの間に延びる。第１のサイドフラップは、前記第１の後壁のメイン表面および第１の前表面に折り畳み可能に取り付けられ、かつ前記第１の後壁のメイン表面と前記第１の前表面との間に延びる。第３のサイドフラップは、前記第１の前表面および前記サイドタブに折り畳み可能に接続され、かつ前記第１の前表面と前記サイドタブとの間に延びる。第２のサイドフラップは、前記第２の後壁のメイン表面および第２の前表面に折り畳み可能に接続され、かつ前記第２の後壁のメイン表面と前記第２の前表面との間に延びる。第４のサイドフラップは、前記第２の前表面および第４のサイドタブに折り畳み可能に接続され、かつ前記第２の前表面と第４のサイドタブとの間に延び、前記第２の前表面は、前記パッケージハウジングにいったん組み立てられると、前記フラップの端部と係合するように、前記第２の前表面を介したスロットを備える。
【０００７】
さらなる実施形態は、向かい合う構成において製品を保存するための一対のポケットを含むパッケージハウジングを形成する方法を含む。工程は、シートからブランク材を切る工程を含み、前記ブランク材は、第１の端部壁に折り畳み可能に取り付けられた五角形のフラップを備え、前記第１の端部壁は、第１の後壁のメイン表面に折り畳み可能に取り付けられる。第２の後壁のメイン表面は、前記第１の後壁のメイン表面およびエンドフラップに折り畳み可能に取り付けられ、かつ前記第１の後壁のメイン表面と前記エンドフラップとの間に延びる。第１のサイドフラップは、前記第１の後壁のメイン表面および第１の前表面に折り畳み可能に取り付けられ、かつ前記第１の後壁のメイン表面と前記第１の前表面との間に延びる。第３のサイドフラップは、前記第１の前表面および前記サイドタブに折り畳み可能に接続され、かつ前記第１の前表面と前記サイドタブとの間に延びる。第２のサイドフラップは、前記第２の後壁のメイン表面および第２の前表面に折り畳み可能に接続され、かつ前記第２の後壁のメイン表面と前記第２の前表面との間に延びる。第４のサイドフラップは、前記第２の前表面および第４のサイドタブに折り畳み可能に接続され、かつ前記第２の前表面と第４のサイドタブとの間に延び、前記第２の前表面は、前記パッケージハウジングにいったん組み立てられると、前記フラップの端部と係合するように、前記第２の前表面を介したスロットを備える。次に、後ろの折り目に沿って、前記第１の後壁のメイン表面および前記第２の後壁のメイン表面を折る工程であって、前記第１の後壁のメイン表面および前記第２の後壁のメイン表面は前記第１のサイドフラップおよび前記第２のサイドフラップに直交する、工程を含む。次の工程は、前記第１のサイドフラップおよび前記第２のサイドフラップをサイドの折り目に沿って折る工程であって、前記第１のサイドフラップおよび前記第２のサイドフラップは、前記第１の前表面および前記第２の前表面に直交し、前記第１の前表面および前記第２の前表面は、前記第１の後壁のメイン表面および前記第２の後壁のメイン表面から間隔を置いて、平行し、かつ並んでいる、工程である。さらなる工程は、前記第３のサイドフラップおよび前記第４のサイドフラップを第３の折り目に沿って折る工程であって、前記第３のサイドフラップおよび前記第４のサイドフラップは前記第１の前表面および前記第２の前表面に直交しており、前記第３のサイドフラップおよび前記第４のサイドフラップは、前記第１のサイドフラップおよび前記第２のサイドフラップから間隔を置いて、平行し、かつ並んでいる、工程である。前記サイドタブおよび前記第４のサイドタブをサイドタブ折り目に沿って折る工程であって、前記サイドタブおよび前記第４のサイドタブは前記第１の後壁のメイン表面および前記第２の後壁のメイン表面と平行している、工程を含む。次いで、開口端部を有する第１のポケットを形成するために、前記サイドタブを前記第１の後壁のメイン表面に接着する工程、および開口端部を有する第２のポケットを形成するために、前記サイドタブを前記第１の後壁のメイン表面に接着する工程を含む。さらに、エンドフラップの線に沿って前記エンドフラップを折る工程であって、前記エンドフラップは前記第２の後壁のメイン表面に直交し、前記エンドフラップは、前記第２のポケットの前記開口端部を閉めるために、前記第２の後壁のメイン表面と第２の前壁のメイン表面との間に延びる、工程を含む。次の工程は、第１の端部壁の折り目に沿って側壁を折る工程であって、前記第１の端部壁は、前記第１の後壁のメイン表面に直交し、前記第１の端部壁は、前記第１のポケットの前記開口端部を閉めるために、前記第１の後壁のメイン表面と前記第２の前壁のメイン表面との間に延びる、工程である。最後の工程は、上部の折り目に沿って前記フラップを折る工程であって、前記フラップは前記第１の端部壁に直交し、前記フラップは前記第１の後壁のメイン表面に平行する、工程と、前記フラップを、前記第２の前表面の前記スロットに固定する工程とを含む。
【図面の簡単な説明】
【０００８】
【図１】図１は、閉じた状態における、本発明の製品パッケージアセンブリを示す。
【図２】図２は、部分的に開いた状態における、本発明の製品パッケージアセンブリを示す。
【図３】図３は、完全に開いた状態における、本発明の製品パッケージアセンブリを示す。
【図４】図４は、本発明のパッケージアセンブリを形成するために用いられる平坦なブランク材である。
【図５】図５は、本発明のパッケージアセンブリを形成するために用いられる平坦なブランク材である。
【発明を実施するための形態】
【０００９】
本発明は、複数の消費可能な製品を包み、かつそこから製品を容易に分配することができるパッケージアセンブリを提供する。
【００１０】
図１〜図３を参照すると、本発明のパッケージアセンブリ１０が示される。パッケージアセンブリ１０は、図４に示される打ち抜きの平坦なブランク材３０から形成されるパッケージハウジング１１を含む。ブランク材３０は、一対の折り畳み可能な製品収容ポケット１２を画定するように、図１〜図３に示される構成に折り畳まれ、ポケットの各々は、好ましくは、向かい合う（ｆａｃｅ−ｔｏ−ｆａｃｅ）方向において配置された、包まれたガムスラブ１４の並び（ａｒｒａｙ）を支持する。各々のポケットは、ポケットの面に沿って、かつその上側端部に沿って延びる、略半円の開口部１６によって画定された上側開口端部１５を有する構成において略矩形である。ポケット１２は、上側開口端部が、折り目２０の両側で向かい合う関係にあるように構成される。平坦なブランク材３０はまた、ポケットのうちの１つの底部から延びる折り畳み可能なフラップ２２を画定する。
【００１１】
平坦な閉じられた位置における図１に示すように、フラップ２２は、向かい合う（ｆａｃｉｎｇ）ポケットの並んだ（ｓｉｄｅ−ｂｙ−ｓｉｄｅ）開口部１６に沿って延びる。フラップは遠位端２２ａを備え、この端部は、パッケージのハウジング１１を開いて、再び閉じることができるようにしてあり、ポケット１２内に収容されたスラブ１４にアクセスすることができる、他のポケットの１つに形成されたスロット２５に押し込まれてよい。
【００１２】
図１に示される閉じた状態において、ポケットは平坦であり、互いに一直線になっている。フラップは、自身の遠位端２２ａをスロット２５内に押し込ませる。この状態において、パッケージハウジング１１は、消費者によって持ち運ばれるための平坦な閉じた位置に維持される。
【００１３】
ポケットの中に収容された１つ以上のガムスラブを分配することがいったん所望されると、消費者は、スロット２５から遠位端２２ａを取外すことによってフラップ２２を開く。図２は、フラップ２２上の接着点１９で取り外されることができる箔２１を示す。箔２１は取外されて、中にある製品を露出させ、かつそれへのアクセスを提供する。ポケット１２は折り目２０に沿って折られてよく、その結果、ポケットは並んで（隣り合わせで）配置され、開口上側端部１５は、図３に示されるように、互いに上方に延びる。消費者は、次いで、ポケットのいずれかまたは両方から１つ以上のガムスラブを分配してよい。
【００１４】
個々のガムスラブは、例えば、各ポケット１２の底において、解放可能な接着剤（図示せず）により、ポケット内で取外し可能に固定されてよい。
【００１５】
所望の数のガムスラブ１４がいったんポケットの片方または両方から取り出されると、ポケットは図２に示される平坦な状態に戻ってもよく、かつフラップ２２は、遠位端２２ａをスロット２５へ挿入することによって再び閉じられてもよい。
【００１６】
図４および図５は、パッケージハウジング１１のブランク材３０、３０’を示す。ブランク材３０、３０’は、メイン垂直部分２６、２６’、およびその垂直部分の片側から延びる方形突出部２７、２７’を備え、Ｌ形状を有している。垂直部分は、折り畳み可能なフラップ２２、２２’の遠位端２２ａ、２２ａ’から、エンドフラップ２３、２３’の近位端２３ａ、２３ａ’に延び、かつ、取り付けられていない端部２８、２８’と、突出部分２７、２７’に部分的に取り付けられておらず、折り畳み可能に接続される反対側の端部２９、２９’との間に延びている。フラップ２２、２２’は、矩形部分を有し、一端が遠位端２２ａ、２２ａ’に延びる三角形を有する五角形である。遠位端２２ａ、２２ａ’の反対には、フラップ２２、２２’は、上部折り目３２、３２’における上部部分３１、３１’に折り畳み可能に接続される。上部部分３１、３１’は、上部折り目３２、３２’と折り目３３、３３’との間に延びる。折り目３３、３３’は、上部部分３１、３１’と第１の端部壁３４、３４’とを区別している。第１の端部壁３４、３４’は折り目３３、３３’とサイドの折り目３５、３５’との間に延びる。フラップ２２、２２’、上部部分３１、３１’、ならびに第１の端部壁３４、４３’は、取り付けられていない端部２８、２８’と２９、２９’との間に延びている。
【００１７】
図４および図５は、等しい面積の四角形状を有する、第１のメイン表面３６、３６’および第２のメイン表面２７、２７’を示す。第１のメイン表面３６、３６’および第２のメイン表面３７、３７’は、パッケージハウジング１１の後壁として機能する。第１のメイン表面３６、３６’は、サイドの折り目３５、３５’と折り目２０、２０’との間に延びる。さらに、第１のメイン表面３６、３６’は、取り付けられていない端部２８、２８’と後ろの折り目３８、３８’との間に延びる。
【００１８】
同様に、第２のメイン表面３７、３７’は、取り付けられていない端部２８、２８’と折り目３８、３８’との間に延びる。第２のメイン表面３７、３７’は、折り目２０、２０’と端部の折り目３９との間に延びる。エンドフラップ２３、２３’は、端部の折り目３９、３９’と近位端２３ａ、２３ａ’との間に延びる。エンドフラップ２３は略矩形であり、３つのタブはその辺から３つ延びている。端部の折り目３９の反対にはタブ折り目４０、４０’があり、底タブ４１、４１’はそこから近位端２３ａに延びる。タブ折り目４０、４０’に直交するのは、タブサイド折り目４２、４２’および４３、４３’である。サイドタブ４４、４５は、各々、折り目４２、４３（４２’、４３’）から延びている。図４および図５に示されるように、全ての折り目は、共通の表面の間での折り畳み可能な接続性（ｃｏｎｎｅｃｔａｂｉｌｉｔｙ）を提供する。
【００１９】
突出部分２７、２７’は、後ろの折り目３８、３８’において、垂直部分２６、２６’に折り畳み可能に接続されている。突出部分２７、２７’は、後ろの折り目３８、３８’と取り付けられていない端部５９、５９’との間に延び、かつ取り付けられていない端部４９、４９’と取り付けられていない端部５０、５０’との間に延びる。第１のサイドフラップ４６、４６’および第２のサイドフラップ４７、４７’は、後ろの折り目３８、３８’から折り目４８、４８’に延びる。第１のサイドフラップ４６、４６’は、上側の取り付けられていない端部４９、４９’から有孔の（ｐｅｒｆｏｒａｔｅｄ）折り目２４、２４’に延び、第２のサイドフラップ４７、４７’は有孔の折り目２４、２４’から下側の取り付けられていない端部５０、５０’に延びる。有孔の折り目２４、２４’は垂直部分２６、２６’の折り目２０、２０’の延長であり、ミシン目（ｐｅｒｆｏｒａｔｉｏｎ）を有しており、図３に示すように、ポケット１２の分離を可能にさせる。第１の前表面５１、５１’は、折り目４８、４８’と折り目５３、５３’との間に延びている。第１の前表面５１、５１’は、さらに、上側の取り付けられていない端部４９、４９’と半円の端部１６ａ、１６ａ’との間に延びている。第２の前表面５２、５２’は、第１の前表面５１、５１’の左右対称の像である。第２の前表面５２、５２’は、折り目４８、４８’と折り目５３、５３’との間に延びる。第２の前表面５２、５２’は、さらに、半円の端部１６ｂ、１６ｂ’と、下側の取り付けられていない端部５０、５０’との間に延びている。第１の前表面５１、５１’および第２の前表面５２、５２’は、有孔の折り目２４、２４’において、折り畳み可能に接続可能である（ｆｏｌｄａｂｌｙ  ｃｏｎｎｅｃｔａｂｌｅ）。第１の前表面５１、５１’は、第１のサイドフラップ４６、４６’および第３のサイドフラップ５４、５４’に折り畳み可能に接続される。第２の前表面５２、５２’は、第２のフラップ４７、４７’および第４のサイドフラップ５５、５５’に折り畳み可能に取り付けられている。第３のフラップ５４、５４’および第４のサイドフラップ５５、５５’は、折り目５３、５３’と折り目５６、５６’との間に延びる。第３のサイドフラップ５４、５４’は、上側の取り付けられていない端部４９、４９’と有孔の折り目２４、２４’との間に延びる。第４のサイドフラップ５５は、有孔の折り目２４、２４’と下側の取り付けられていない部分５０、５０’との間に延びる。
【００２０】
第３のサイドフラップ５４、５４’および第４のサイドフラップ５５、５５’から、各々、サイドタブ５７、５７’およびサイドタブ５８、５８’が延びている。サイドタブ５７は、折り目５６、５６’とサイドの取り付けられていない端部５９、５９’との間を延びる。サイドタブ５７、５７’はまた、上側の取り付けられていない端部４９、４９’と端部６０、６０’との間に延びる。サイドタブ５８、５８’は、端部６１、６１’と下側の取り付けられていない端部５０、５０’との間に延びる。端部６０、６０’および６１、６１’は、有孔の折り目２４、２４’の一端に集まって来るので、その結果、サイドの取り付けられていない端部５９、５９’の各々は、その長さは、サイドフラップ５４、５４’またはサイドフラップ５５、５５’に沿った折り目５６、５６’よりも短い。
【００２１】
図４および図５は、突出部分２７、２７’が、第１のサイドフラップ４６、４６’、第２のサイドフラップ４７、４７’、第１の前表面５１、５１’、第２の前表面５２、５２’、第３のサイドフラップ５４、５４’、第４のサイドフラップ５５、５５’、サイドタブ５７、５７’、およびサイドタブ５８、５８’を含むことを示す。半円の開口部１６、１６’は、第１の前表面５１、５１’と第２の前表面５２、５２’との間に延びる。さらに、有孔の折り目２４、２４’は、半円の開口部１６、１６’から取り付けられていない端部２８、２８’へ、ならびに、半円の開口部１６、１６’から、端部６０、６０’および６１、６１’の収束点に延びている。それゆえ、第１の表面５１、５１’および第２の表面５２、５２’の両方の部分は各々、有孔２４、２４’と、上側の取り付けられていない端部４９、４９’および下側の取り付けられていない端部５０、５０’との間に延びる。
【００２２】
有孔の折り目２４、２４’は、組み立てられたパッケージハウジング１１を、中のスラブの並び（ａｒｒａｙ）へのアクセスのために、ミシン目に沿って破られ得る。第１の部分１７、１７’は、有孔の折り目２４、２４’のところで分断されてよく、第２の部分１８、１８’を分断し、２つの別々のポケット１２、１２’を提供する。第２の前表面５２、５２’はさらにスロット２５、２５’を備えており、このスロットは、いったんパッケージハウジングが折り畳み可能に組み立てられると、フラップ２２、２２’の遠位端２２ａ、２２ａ’と係合可能に設計されている。図４および図５は、遠位端２２ａ、２２ａ’を収容するために、スロット２５、２５’が僅かに湾曲していることを示す。
【００２３】
本発明のさらなる任意の特徴が図４に示されており、ここで接着部分１９、すなわち糊付け点がフラップ２２に加えられ、フラップが、箔２１、または円形の開口部１６を拡張する製品の他のカバーに接着することができる。フラップ２２を開くと、箔２１またはカバーはフラップ２２に接着され、開口部１６から取外されて、中の製品にアクセスすることができる。
【００２４】
本発明のさらなる任意の特徴が図５に示され、ここで図４の折り目２０は、例えば、１つのポケット１２を他のポケット１２から取外すことができるミシン目２４’等の切断線である。これにより、製品を他の者と共有することができる。また、１つのポケットが他のポケットからいったん取外されると、フラップ２２’は、フラップ２２’の遠位端２２ａ’を収容するために、１つのポケット１２の反対側の表面上にスロット６５’を配置することによって、残りのポケット１２に対して再び閉じることができてよいことが想定される。スロット６５’は、図５において、フラップ２２’を収容する湾曲したスロットとして示されており、フラップ２２’はポケット１２周囲に巻きついて開口部１６’を覆い、スロット６５’に滑り込んでポケット１２を閉じる。
【００２５】
各ポケット１２は、第１の端部壁３４またはエンドフラップ２３を用いて各々、第１の部分１７、１７’または第２の部分１８、１８’によって画定される。第１の部分１７、１７’によって画定された１つのポケット１２のみがフラップ２２、２２’を備えるが、しかしながら、さらなるフラップ（図示せず）がエンドフラップ２３から延びていてもよく、ポケットが切断された場合に、第２の部分１８、１８’によって画定されるポケット１２を覆うことができる。
【００２６】
ブランク材３０、３０’が単一の材料からいったん打ち抜かれると、パッケージハウジング１１を組み立てるために折り畳まれてよい。垂直部分２６、２６’および突出部分２７、２７’は、垂直部分２６、２６’が突出部分２７、２７’に直交するように、後ろの折り目３８に沿って折られる。
【００２７】
次に、第１の前表面５１、５１’および第２の前表面５２、５２’は、第１の前表面５１、５１’および第２の前表面５２、５２’が第１のメイン表面３６、３６’および第２のメイン表面３７、３７’と平行になるように、折り目４８、４８’に沿って折られる。さらに、第１のサイドフラップ４６、４６’および第２のサイドフラップ４７、４７’は、第１のメイン表面３６、３６’、第２のメイン表面２７、２７’、第１の前表面５１、５１’、第２の前表面５２、５２’に直交する。
【００２８】
次に、第３のサイドフラップ５４、５４’および第４のサイドフラップ５５、５５’は、第３のサイドフラップ５４、５４’および第４のサイドフラップ５５、５５’が第１の前表面５１、５１’および第２の前表面５２、５２’に直交するように、折り目５３、５３’に沿って折られる。サイドタブ５７、５７’およびサイドタブ５８、５８’は、次いで、折り目５６、５６’に沿って、第３のサイド表面５４、５４’および第４のサイド表面５５、５５’に直交するように折られる。サイドタブ５７、５７’およびサイドタブ５８、５８’、ならびに／または第１のメイン表面３６、３６’および第２のメイン表面３７、３７’は、サイドタブ５７、５７’、５８、５８’が対応するメイン表面に取り付けられることができるように、接着剤を含んでもよい。例えば、サイドタブ５７、５７’は、第１のメイン表面３６、３６’に並べられて、取り付けられる。同様に、サイドタブ５８、５８’は第２のメイン表面３７、３７’に並べられて、取り付けられる。この折り畳み可能な構成はここで、２つの開口端部を有する内部キャビティを提供する。タブ４１、４１’、４４、４４’、および４５、４５’は、ここで、タブ４１、４１’、４４、４４’、および４５、４５’がエンドフラップ２３、２３’に直交するように、各々折り目４０、４０’、４２、４２’、および４３、４３’に沿って折られる。エンドフラップ２３、２３’はここで、エンドフラップ２３、２３’が第２のメイン表面３７、３７’に直交するように、折り目３９、３９’に沿って折られる。タブ４１、４１’、４４、４４’、および４５、４５’は、折られたアセンブリの内部キャビティ内に位置し、エンドフラップ２３、２３’を、第２のメイン表面３７、３７’に直交する位置において固定する。エンドフラップ２３、２３’は、第２の部分１８、１８’に対して閉じた端部を提供する。
【００２９】
第１の端部壁３４、３４’は、折り目３５、３５’に沿って折られることによって、メイン表面３６、３６’に直交して位置される。第１の端部壁３４、３４’はここで、エンドフラップ２３、２３’に対して対向し、かつ平行する。第１の端部壁３４、３４’は、第１の部分１７、１７’の端部を閉鎖する。ブランク材３０、３０’は、上部部分３１、３１’が第１の表面５１、５１’に平行し、かつ第１の表面５１、５１’に接触するように、折り目３３、３３’に沿って折られる。上部部分３１、３１’および／または第１の表面５１、５１’は、接着剤を備え、第１の表面５１、５１’に対して上部部分３１、３１’を固定して、開口された端部を閉鎖することにおいて、適切な位置に第１の端部壁３４、３４’を固定する。
【００３０】
フラップ２２、２２’は、第１の表面５１、５１’、半円の開口部１６、１６’、および第２の前表面５２、５２’に沿って共線（ｃｏｌｌｉｎｅａｒｌｙ）で延びる。遠位端２２ａ、２２ａ’は、フラップ２２、２２’を適切な位置に固定し、半円の開口部１６、１６’を覆うために、スロット２５、２５’へと延びる。
【００３１】
本明細書において、好ましい実施形態を記載してきたが、様々な変更が、本発明の想定される範囲から逸脱することなくそれに対してなされてよいことは理解されるべきである。従って、本明細書において記載された好ましい実施形態は、限定ではなく例示としてみなされ、本発明の真なる範囲は、本明細書に添付された特許請求の範囲において説明される。
【００３２】
（１）パッケージアセンブリであって、
一対の製品収容ポケットを有するパッケージハウジングを備え、
前記ポケットは、前記製品を前記ポケットから分配することができるように、平坦で閉じた状態と折り畳まれて開いた状態との間で折り畳み可能な動作のために折り目の両側に配置されており、
前記ハウジングはさらに、前記ポケットを閉じるために、前記平坦な状態において、前記ポケット上に配置された、開くことのできるフラップを備え、前記フラップは、前記ポケットの１つから延び、前記ポケットのもう１つは、前記閉じた状態において、前記フラップの遠位端を受け取るためのスロットを備える、パッケージアセンブリ。
【００３３】
（２）前記ポケットの各々は、前記ポケットから前記製品を分配するための開口端部を備え、前記開口端部は、前記折り目の両側で向かい合うように配置される、（１）に記載のパッケージアセンブリ。
【００３４】
（３）前記開口端部は半円である、（２）に記載のパッケージアセンブリ。
【００３５】
（４）前記ポケットは前記折り目において分断可能である、（３）に記載のパッケージアセンブリ。
【００３６】
（５）前記ポケットの各対は、閉じた状態において、および、前記ポケットの対が分断された後の前記ポケットの１つの閉じた状態において、前記フラップの遠位端を受け取るためのスロットを備える、（４）に記載のパッケージアセンブリ。
【００３７】
（６）前記フラップは、前記ポケットの間に延びる取外し可能なカバーに取り付けるための、前記フラップ上における接着部分を有しており、前記取外し可能なカバーを取外す、前記フラップが折られて開いた位置となるまで、前記ポケット内の前記製品を覆う（１）に記載のパッケージ。
【図１】
0006021882.tif 000002
【図２】
0006021882.tif 000003
【図３】
0006021882.tif 000004
【図４】
0006021882.tif 000005
【図５】
0006021882.tif 000006